(57)【要約】【課題】先端部本体のみならず処置具起立台や処置具起立台周りを隅々まで確実に洗浄することができる内視鏡用の洗浄ブラシを提供する。【解決手段】第１のブラシ１０２のブラシ毛群１１０と第２のブラシ１０４のブラシ毛群１１４とが対向して配置された一対のブラシと、一対のブラシを対向する位置で離間して保持することにより先端部７を第１のブラシ１０２のブラシ毛群１１０と第２のブラシ１０４のブラシ毛群１１４とに接触させながら挿抜可能な挿抜空間１１６を形成する保持部材１０６と、を備え、第１のブラシ１０２のブラシ毛群１１０と第２のブラシ１０４のブラシ毛群１１４のうち少なくとも先端部７の下面側に接触するブラシ毛群１１４の刷掃面１１４Ａが挿抜空間１１６の挿抜方向に凹凸形状に形成されている内視鏡用の洗浄ブラシ。【選択図】図７
2018157885.tif 000002
【特許請求の範囲】
【請求項１】
挿入部の先端部に上面側に起立する処置具起立台を備えた内視鏡の前記先端部を洗浄する内視鏡用の洗浄ブラシにおいて、
第１のブラシのブラシ毛群と第２のブラシのブラシ毛群とが対向して配置された一対のブラシと、
前記一対のブラシを前記対向する位置で離間して保持することにより前記先端部を前記第１のブラシのブラシ毛群と前記第２のブラシのブラシ毛群とに接触させながら挿抜可能な挿抜空間を形成する保持部材と、を備え、
前記第１のブラシのブラシ毛群と第２のブラシのブラシ毛群のうち少なくとも前記先端部の下面側に接触するブラシ毛群の刷掃面が前記挿抜空間の挿抜方向に凹凸形状に形成されている内視鏡用の洗浄ブラシ。
【請求項２】
前記第１のブラシの前記凹凸形状と前記第２のブラシの前記凹凸形状とは鏡像対称な関係にある請求項１に記載の内視鏡用の洗浄ブラシ。
【請求項３】
前記第１のブラシの前記凹凸形状と前記第２のブラシの前記凹凸形状とは並進対称な関係にある請求項１に記載の内視鏡用の洗浄ブラシ。
【請求項４】
前記処置具起立台は上面と下面とが少なくとも開放された起立台収容スリットに設けられ、前記第２のブラシに形成されるブラシ毛群は前記挿抜方向に直交する幅が前記起立台収容スリットの幅より大きく形成されている請求項１から３の何れか１項に記載の内視鏡用の洗浄ブラシ。
【請求項５】
前記処置具起立台は上面と下面とが少なくとも開放された起立台収容スリットに設けられ、前記第２のブラシに形成されるブラシ毛群は前記挿抜方向に直交する幅が前記起立台収容スリットの幅より小さく形成されている請求項１から３の何れか１項に記載の内視鏡用の洗浄ブラシ。
【請求項６】
前記第２のブラシに形成されるブラシ毛群の前記凹凸形状を構成する毛束の刷掃面の縦断面形状が前記挿抜方向に三角形に形成され、前記先端部を前記挿抜空間に挿抜させたときに、前記処置具起立台が倒伏位置から最大起立位置まで起立可能に前記三角形の底辺長さ及び高さが形成されている請求項５に記載の内視鏡用の洗浄ブラシ。
【請求項７】
前記処置具起立台は上面と下面とが少なくとも開放された起立台収容スリットに設けられ、前記第２のブラシに形成されるブラシ毛群は、前記挿抜方向に直交する幅が前記起立台収容スリットの幅より大きく形成されている幅広領域と前記起立台収容スリットの幅より小さく形成されている幅狭領域とが前記挿抜方向に交互に配置されている請求項１から３の何れか１項に記載の内視鏡用の洗浄ブラシ。
【請求項８】
前記第２のブラシに形成されるブラシ毛群の前記凹凸形状を構成する毛束の刷掃面の縦断面形状が前記挿抜方向に直角三角形に形成されている請求項１から７の何れか１項に記載の内視鏡用の洗浄ブラシ。
【請求項９】
前記第２のブラシに形成されるブラシ毛群の前記凹凸形状を構成する毛束の刷掃面の縦断面形状が前記挿抜方向に半円形状に形成されている請求項１から７の何れか１項に記載の内視鏡用の洗浄ブラシ。
【請求項１０】
前記第１のブラシに形成されるブラシ毛群の前記凹凸形状を構成する毛束の刷掃面の縦断面形状が前記挿抜方向に平面形状に形成されている請求項１から９の何れか１項に記載の内視鏡用の洗浄ブラシ。
【発明の詳細な説明】
【技術分野】
【０００１】
本発明は、内視鏡用の洗浄ブラシに係り、特に挿入部の先端部に処置具起立台を備えた内視鏡の先端部を洗浄する内視鏡用の洗浄ブラシに関する。
【背景技術】
【０００２】
内視鏡では、操作部に設けられた処置具導入口に各種の処置具を挿入し、先端部に開口した処置具導出口から導出して処置に用いる。例えば十二指腸内視鏡ではガイドワイヤ及び造形チューブであり、超音波内視鏡では穿刺針であり、その他、直視鏡及び側視鏡においては鉗子及びスネア等の処置具が用いられる。このような処置具は、被検体内の所望の位置を処置するため先端部における導出方向を変える必要があり、このため先端部に形成された起立台収容部に処置具を起立させるための処置具起立台が設けられている。
【０００３】
処置具起立台を起立させたり倒伏させたりする機構としては、処置具起立台にワイヤを取り付けてワイヤを内視鏡の基端部まで延設させ、操作部に備えらえた操作レバーによりワイヤを押し引き動作する機構が知られている。この機構によって、処置具起立台を回転軸周りに回転させて、起立位置と倒伏位置との間で位置を変更する。
【０００４】
また、起立台の回転軸を、隔壁を介して収容されているレバーと連結し、レバーに操作ワイヤを取り付けて、操作部に備えられた操作レバーによりワイヤを押し引き動作する機構（レバー式）も知られている。この機構によって、処置具起立台を回転軸周りに回転させて、起立位置と倒伏位置との間で位置を変更する。
【０００５】
また、内視鏡の種類には、処置具起立台から操作ワイヤを着脱可能なタイプもある。
【０００６】
上記の十二指腸内視鏡のように処置具起立台を備えた内視鏡では、内視鏡の先端部を被検体内に挿入して処置具で処置した後は、先端部本体及び処置具起立台のみならず先端部本体と処置具起立台との隙間及び回転軸周り等の処置具起立台周りを確実に洗浄する必要がある。
【０００７】
また、先端部のキャップを着脱可能にした内視鏡が知られており（特許文献２）、このような内視鏡では、処置後にキャップを取り外して先端部を洗浄することが行われている。
【０００８】
特許文献３には、処置具起立台が収納される収納室に通常の枝付ブラシを挿入してブラッシングすることにより処置具起立台や収納室等を洗浄することが記載されている。
【０００９】
特許文献４には、内視鏡の先端部に設けたキャップを外した状態で、起立台周りを小型の先端ブラシで洗浄したり、起立台の隙間にシリンジから洗浄液を噴出させて洗浄したりすることが記載されている。
【００１０】
特許文献５には、洗浄槽の内部に洗浄液を貯留する小洗浄槽を設け、小洗浄槽に先端部を洗浄する洗浄ノズルを設けた内視鏡洗浄消毒装置が開示されている。そして、洗浄液を加熱したり超音波洗浄を併用したりすることにより、処置具起立台の裏側等のように特に洗浄されにくい四角部分まで洗浄され、また細かい汚れまでをおとすことができるとされている。
【先行技術文献】
【特許文献】
【００１１】
【特許文献１】特開２０１４−０４６１６７号公報
【特許文献２】特開２００４−１４１３１５号公報
【特許文献３】特開２０００−０５１１４５号公報
【特許文献４】特開平０８−１８２６４８号公報
【特許文献５】特開平０５−２２８１１３号公報
【発明の概要】
【発明が解決しようとする課題】
【００１２】
しかしながら、内視鏡の先端部自体が元々小さくその内部に設けられる処置具起立台も小さい。さらに、処置具起立台は起立台収納部に収容されて露出部分が少なく、構造が複雑である。
【００１３】
したがって、特許文献３のように通常の枝付ブラシの手洗浄では、先端部本体の外周部分は十分に洗浄できても、構造が複雑で小さな処置具起立台の洗浄、あるいは起立台収容部にブラシを入り込ませて処置具起立台周りを隅々までブラシを行き届かせることは難しい。
【００１４】
また、特許文献４のように、内視鏡の先端部に設けたキャップを外した状態で小型の洗浄ブラシでブラシ洗浄することで特許文献３よりも洗浄効果は上がると思われる。しかし、処置具起立台の隙間の洗浄として、シリンジから洗浄液を噴出させる水流洗浄では、処置具起立台周りに洗い残しが発生し易い。
【００１５】
また、特許文献５のように、洗浄液を貯留した小洗浄槽に内視鏡の先端部を収納して洗浄ノズルで洗浄する方法は、特許文献４の水流洗浄と同様に処置具起立台周りに洗い残しが発生し易い。また、洗浄液を加熱したり超音波洗浄を併用したりしても、処置具起立台周りを隅々まで確実に洗浄することができない。
【００１６】
即ち、処置具起立台を備えた内視鏡の先端部の洗浄において、処置具起立台周りを確実に洗浄するには処置具起立台周りの隅々までブラシを確実に当てて洗浄する必要があり、従来の洗浄ブラシ及び洗浄装置では満足のいくものではなかった。
【００１７】
ところで、処置具起立台周りにブラシを確実に当てるには、洗浄の際に処置具起立台の裏面までブラシを入り込ませる必要があり、そのためには、内視鏡手元部の操作レバーで処置具起立台を起立させなくてはならない。
【００１８】
しかし、通常一人で洗浄作業を行うため、内視鏡の先端部の洗浄を行いながら内視鏡手元部の操作レバーを操作することは非常に煩雑な作業となる。
【００１９】
また、処置具起立台から操作ワイヤを着脱可能なタイプの内視鏡では、洗浄時に操作ワイヤと処置具起立台との連結を外し、処置具起立台の起伏動作がフリーな状態で洗浄を行うができる。しかし、処置具起立台は非常に小さな部材であるため、洗浄作業者が手の指で処置具起立台を起伏動作させながら処置具起立台周りを洗浄することは困難である。また、処置具起立台の起伏動作がフリーな状態でブラシを処置具起立台に当てて洗浄すると、処置具起立台が勝手に動いてしまい却って洗浄しにくい。
【００２０】
したがって、洗浄の際に操作ワイヤを操作したり手の指で起伏動作させたりしなくても処置具起立台を起伏させながら洗浄することができれば、処置具起立台周りの洗浄を一層確実に行うことができる。
【００２１】
本発明はこのような事情に鑑みてなされたもので、先端部本体のみならず処置具起立台や処置具起立台周りを隅々まで確実に洗浄することができる内視鏡用の洗浄ブラシを提供することを目的とする。
【課題を解決するための手段】
【００２２】
本発明の内視鏡用の洗浄ブラシは目的を達成するために、挿入部の先端部に上面側に起立する処置具起立台を備えた内視鏡の先端部を洗浄する内視鏡用の洗浄ブラシにおいて、第１のブラシのブラシ毛群と第２のブラシのブラシ毛群とが対向して配置された一対のブラシと、一対のブラシを対向する位置で離間して保持することにより先端部を第１のブラシのブラシ毛群と第２のブラシのブラシ毛群とに接触させながら挿抜可能な挿抜空間を形成する保持部材と、を備え、第１のブラシのブラシ毛群と第２のブラシのブラシ毛群のうち少なくとも先端部の下面側に接触するブラシ毛群の刷掃面が挿抜空間の挿抜方向に凹凸形状に形成されている。
【００２３】
これにより、本発明の内視鏡用の洗浄ブラシは、第１のブラシのブラシ毛群と第２のブラシのブラシ毛群とが対向して形成された挿抜空間に、内視鏡の先端部を挿抜させることにより先端部本体を洗浄することができる。
【００２４】
更には、第１のブラシのブラシ毛群と第２のブラシのブラシ毛群のうち少なくとも先端部の下面側に接触するブラシ毛群の刷掃面が挿抜空間の挿抜方向に凹凸形状に形成されている。これにより、挿抜空間に挿抜される内視鏡の先端部は、ブラシ毛群の刷掃面の凹凸形状に応じて第１のブラシ側に接近したり、第２のブラシ側に接近したりする。即ち、内視鏡の先端部は、挿抜方向に直交する方向の移動動作を繰り返しながら先端部は挿抜空間を移動する。したがって、第１のブラシ毛群と第２のブラシのブラシ毛群が処置具起立台周りの隅々まで入り込んで処置具起立台及び置具起立台周りにブラシを当てて洗浄することができる。
【００２５】
この結果、先端部本体のみならず処置具起立台や処置具起立台周りを隅々まで確実に洗浄することができる。
【００２６】
本発明の態様では、第１のブラシの凹凸形状と第２のブラシの凹凸形状とは鏡像対称な関係にあるか、あるいは第１のブラシの凹凸形状と第２のブラシの凹凸形状とは並進対称な関係にある何れの態様もとることができる。
【００２７】
ここで、鏡像対称とは、図形を鏡に映したときに、元の図形と映った画像との対称関係を言う。また、並進対称とは、対向する２つの図形の関係が平行移動したときに一致する関係にある対称関係を言う。
【００２８】
本発明の別態様は、処置具起立台は上面と下面とが少なくとも開放された起立台収容スリットに設けられ、第２のブラシに形成されるブラシ毛群は挿抜方向に直交する幅が起立台収納スリットの幅より大きく形成されている場合である。
【００２９】
これにより、洗浄ブラシの挿抜空間に内視鏡の先端部を挿抜させて洗浄する際に、先端部は上述の移動動作を繰り返すので、第１のブラシ及び第２のブラシのブラシ毛群は起立台収容スリットの上面及び下面から内部に深く入り込んで処置具起立台及び処置具起立台周りを洗浄する。
【００３０】
本発明の別態様は、処置具起立台は上面と下面とが少なくとも開放された起立台収容スリットに設けられ、第２のブラシに形成されるブラシ毛群は挿抜方向に直交する幅が起立台収納スリットの幅より小さく形成されている場合である。
【００３１】
これにより、洗浄ブラシの挿抜空間に内視鏡の先端部を挿抜させて洗浄する際に、第２のブラシのブラシ毛群は起立台収納スリットの開放された下面を介して処置具起立台の裏面側に当たって刷掃面の凹凸形状に合わせた起伏動作を行う。一方、第１のブラシのブラシ毛群は、起立台収納スリットの開放された上面を介して第２のブラシによって起伏動作される処置具起立台の表面側に当たってブラッシングする。
【００３２】
したがって、洗浄の際に操作ワイヤを操作したり手の指で動作させたりしなくても処置具起立台を起伏させながら洗浄することができる。
【００３３】
本発明の別態様は、第２のブラシに形成されるブラシ毛群の凸凹形状を構成する毛束の刷掃面の縦断面形状が挿抜方向に三角形に形成され、先端部を挿抜空間に挿抜させたときに、処置具起立台が倒伏位置から最大起立位置まで起立可能に三角形の底辺長さ及び高さが形成されている。
【００３４】
これにより、洗浄ブラシの挿抜空間に内視鏡の先端部を挿抜させて洗浄する際に、処置具起立台の起伏動作を大きくしながらブラシ洗浄することができるので、処置具起立台周りの洗浄を一層確実に行うことができる。
【００３５】
本発明の別態様は、処置具起立台は上面と下面とが少なくとも開放された起立台収容スリットに設けられ、第２のブラシに形成されるブラシ毛群は、挿抜方向に直交する幅が起立台収納スリットの幅より大きく形成されている幅広領域と起立台収納スリットの幅より小さく形成されている幅狭領域とが挿抜方向に交互に配置されている場合である。
【００３６】
これにより、洗浄ブラシの挿抜空間に内視鏡の先端部を挿抜させて洗浄する際に、先端部自体の移動動作と処置具起立台の起伏動作との両方を行うことができる。
【００３７】
本発明の別態様は、第２のブラシに形成されるブラシ毛群の凹凸形状を構成する毛束の刷掃面の縦断面形状が挿抜方向に直角三角形に形成されている場合である。
【００３８】
本発明の別態様は、第２のブラシに形成されるブラシ毛群の凹凸形状を構成する毛束の刷掃面の縦断面形状が挿抜方向に半円形状に形成されている場合である。
【００３９】
本発明の別態様は、第１のブラシに形成されるブラシ毛群の凹凸形状を構成する毛束の刷掃面の縦断面形状が挿抜方向に平面形状に形成されている場合である。
【発明の効果】
【００４０】
本発明の内視鏡用の洗浄ブラシによれば、先端部本体のみならず処置具起立台や処置具起立台周りを隅々まで確実に洗浄することができる。
【図面の簡単な説明】
【００４１】
【図１】処置具起立台を備えた内視鏡の全体構成図
【図２】内視鏡の先端部を拡大して示した斜視図
【図３】先端部の断面図
【図４】先端部の分解斜視図
【図５】先端部本体に処置具起立台及び駆動部材を組み付けた斜視図
【図６】先端部本体を上側から示した平面図
【図７】本発明の第１の実施の形態の洗浄ブラシの鏡像対称なブラシ毛群の説明図
【図８】図７の側面図
【図９】本発明の第１の実施の形態の洗浄ブラシの並進対称なブラシ毛群の説明図
【図１０】図９の側面図
【図１１】ブラシ毛群の毛束形状が異なる洗浄ブラシの鏡像対称なブラシ毛群の説明図
【図１２】図１１を別角度から見た斜視図
【図１３】ブラシ毛群の毛束形状が異なる洗浄ブラシの並進対称なブラシ毛群の説明図
【図１４】図１２を別角度から見た斜視図
【図１５】第１のブラシと第２のブラシとの毛束形状が異なる洗浄ブラシの側面図
【図１６】第１のブラシと第２のブラシとの毛束形状が異なる洗浄ブラシの側面図
【図１７】第１のブラシと第２のブラシとの毛束形状が異なる洗浄ブラシの側面図
【図１８】第１のブラシと第２のブラシとの毛束形状が異なる洗浄ブラシの側面図
【図１９】第１の実施の形態の洗浄ブラシにより先端部を洗浄液中で洗浄している図
【図２０】洗浄ブラシの挿抜空間に先端部を挿抜するときの第２のブラシの作用を説明する説明図
【図２１】図２０よりも更に挿抜空間に先端部を挿入した図
【図２２】図２１よりも更に挿抜空間に先端部を挿入した図
【図２３】図２２よりも更に挿抜空間に先端部を挿入した図
【図２４】図２３よりも更に挿抜空間に先端部を挿入した図
【図２５】本発明の第２の実施の形態の洗浄ブラシを説明する説明図
【図２６】図２５の側面図
【図２７】図２５の平面図
【図２８】洗浄ブラシの第２のブラシで処置具起立台を起立させる前の説明図
【図２９】洗浄ブラシの第２のブラシで処置具起立台を起立させた説明図
【図３０】洗浄ブラシの第２のブラシで処置具起立台を起立させる前の模式図
【図３１】洗浄ブラシの第２のブラシで処置具起立台を起立させた模式図
【図３２】本発明の第２の実施の形態の洗浄ブラシの別態様の斜視図
【図３３】図３２を別角度から見た斜視図
【図３４】本発明の第３の実施の形態の洗浄ブラシの斜視図
【図３５】図３４を別角度から見た斜視図
【図３６】本発明における洗浄ブラシの応用例を示す斜視図
【図３７】図３６のａ−ａ線に沿った断面図
【発明を実施するための形態】
【００４２】
以下、添付図面にしたがって本発明の内視鏡用の洗浄ブラシの好ましい実施の形態について説明する。
【００４３】
本発明は以下の好ましい実施の形態により説明される。本発明の範囲を逸脱することなく、多くの手法により変更を行うことができ、本実施の形態以外の他の実施の形態を利用することができる。したがって、本発明の範囲内における全ての変更が特許請求の範囲に含まれる。
【００４４】
ここで、図中、同一の記号で示される部分は、同様の機能を有する同様の要素である。また、本明細書中で、数値範囲を“  〜  ”を用いて表す場合は、“  〜  ”で示される上限、下限の数値も数値範囲に含むものとする。
【００４５】
本発明の実施の形態の内視鏡用の洗浄ブラシを説明する前に、洗浄対象である処置具起立台を備えた内視鏡について説明する。
【００４６】
［処置具起立台を備えた内視鏡］
図１は、先端部に処置具起立台を備えた内視鏡の全体構成図である。
【００４７】
図１における内視鏡１は、患者体内に挿入される挿入部２と、挿入部２の基端に連設され、内視鏡１の把持及び挿入部２の操作等に用いられる操作部３と、内視鏡１を不図示の光源装置及びプロセッサ装置等のシステム構成機器に接続するユニバーサルコード４とを備える。
【００４８】
挿入部２は、基端から先端に向って順に連設される軟性部５、湾曲部６、及び先端部７から構成される。軟性部５は、可撓性を有し、挿入部２の挿入経路に沿って任意の方向に湾曲する。湾曲部６は、操作部３のアングルノブ８、９の各々の操作により上下と左右の各々の方向に湾曲する。先端部７は、体内の被観察部位を撮影してその撮影した画像を観察画像（内視鏡画像）としてユニバーサルコード４により接続されたプロセッサ装置に送る観察部がある。また、ユニバーサルコード４により接続された光源装置から内視鏡１内部のライトガイドを通じて伝搬された照明光を被観察部位に照射する照明部などを備える。
【００４９】
図２は、内視鏡１の先端部７を拡大して示した斜視図である。本実施の形態の内視鏡１は例えば十二指腸鏡として用いられる側視型の内視鏡であり、図２の先端部７は側視型の内視鏡における構成を示す。
【００５０】
図２に示すように先端部７には、挿入部２の軸線である長手軸に対して略平行な平坦面２０が設けられ、その平坦面２０に観察窓２２及び照明窓２４が設けられる。なお、以下において単に長手軸という場合には挿入部２の長手軸を示す。
【００５１】
観察窓２２は、長手軸に対して側方（径方向）に存在する被観察部位の画像を取得する観察部の構成要素であり、側方の被観察部位からの被写体光を観察部の他の構成要素である光学系（結像レンズ等）及び撮像手段に取り込む。照明窓２４は、先端部７に搭載される照明部の構成要素であり、照明部の他の構成要素である光出射部、即ち、光源装置からの光を伝搬するライトガイドの終端部に設けられた光出射部から出射された照明光を被観察部位に照射する。
【００５２】
なお、先端部７に対して、長手軸の方向であって先端側の位置を前側（先端側）、その反対側の位置を後側（基端側）とし、平坦面２０に垂直な方向であって平坦面２０に対向する側の位置を上側、その反対側を下側とし（図１参照）、左側と右側は、前後と上下の位置関係により決まる向きの位置とする。
【００５３】
また、先端部７において平坦面２０の右側（図２の左側）には、起立台収容スリット３８が設けられ、起立台収容スリット３８には処置具起立台６０が設けられる。起立台収容スリット３８は、挿入部２内を挿通する処置具挿通チャンネルを通じて操作部３の処置具導入口１３（図１参照）に連通しており、処置具導入口１３から挿入された処置具が起立台収容スリット３８に導かれる。
【００５４】
処置具起立台６０は、起立台収容スリット３８に導かれた処置具の進行方向を曲げて起立台収容スリット３８の上面側の開口部３８ａ（処置具導出口３８ａともいう）へと向かう方向に案内し、処置具導出口３８ａから処置具を導出させる。
【００５５】
また、処置具起立台６０は、操作部３の起立操作レバー１２（図１参照）の操作により起立する方向（起立方向）又は倒伏する方向（倒伏方向）に起伏動作（回転）し、処置具導出口３８ａからの処置具の導出方向（導出角度）を変更する。
【００５６】
なお、平坦面２０の観察窓２２の近傍には操作部３の送気送水ボタン１０（図１参照）の操作により観察窓２２への送気と送水とを切り替可能に行う不図示の送気送水ノズルが設けられる。また、挿入部２内において処置具挿通チャンネルには吸引チャンネルが接続されており、操作部３の吸引ボタン１１（図１参照）の操作により起立台収容スリット３８からの吸引が行われる。
【００５７】
続いて、先端部７における処置具起立台６０の駆動機構に関する構成について詳説する。
【００５８】
図３は、長手軸に垂直な先端部７の断面図であり、図４は、先端部７の分解斜視図である。
【００５９】
これらの図に示すように、先端部７は、先端部７内を複数の領域に区画すると共に各種構成部品が一体的に組み付けられる先端部本体３０（図４参照）を有し、先端部本体３０の外周部が着脱可能なキャップ２６により被覆される。
【００６０】
キャップ２６は、弾性力のある材質、例えば弾性ゴムにより、先端側が閉塞した円筒形を基調とした形状に形成され、上述の平坦面２０と起立台収容スリット３８の上面側の開口部３８ａ（処置具導出口３８ａ）の全体及び前面側の開口部３８ｂの上側一部とを開放する開口窓２６Ａと、起立台収容スリット３８の下面側の開口部３８ｃの全体及び前面側の開口の３８ｂの下側一部とを閉鎖する隔壁部２６Ｂとを有する。
【００６１】
また、キャップ２６の基端には径方向内向きに環状に突出する係合部（不図示）が形成されており、その係合部が先端部本体３０の外周部に形成された溝３１に係合することで、キャップ２６が先端部本体３０に装着される。なお、後述のようにキャップ２６は洗浄の際に取り外される。
【００６２】
先端部本体３０は、耐食性を有する金属材料等の剛性部材で形成されており、基端側の円柱状の基端部３２と、基端部３２から先端側に向けて延設され、互いに向かい合う左右一対の側壁部３４、３６とを有する。これによって、先端部７内において、右側の側壁部３４と左側の側壁部３６との間には、処置具起立台６０を収容する空間部である起立台収容スリット３８が形成され、側壁部３４よりも右側（図３の左側）には後述の起立台起立レバー８４を収容する空間部である起立レバー収容室４０が形成され、側壁部３６よりも左側（図３の右側）には上述の観察部及び照明部の構成部品（不図示）を収容する空間部である光学系収容室４２が形成される。なお、起立レバー収容室４０及び光学系収容室４２は、図４では不図示の保護板により被覆されて気密性が保持される。
【００６３】
起立台収容スリット３８は、図４のように先端部本体３０からキャップ２６が取り外された状態において、上面側の開口部分を開口部３８ａ（処置具導出口３８ａ）、前面側の開口部分を開口部３８ｂ、下面側の開口部分を開口部３８ｃとして有し、それらの開口部３８ａ、３８ｂ、３８ｃが連設されることにより上面から前面を通り下面まで延在して開口する。
【００６４】
また、起立台収容スリット３８の基端側には、先端部本体３０の基端部３２により形成される基端壁部４６が配置され、その基端壁部４６には、図３のように処置具挿通チャンネル１４の管路端部である開口部１４ａが配置される。
【００６５】
この起立台収容スリット３８には、図４に全体が図示された処置具起立台６０が回転自在に設置される。なお、処置具起立台６０の構成については後述する。
【００６６】
起立台収容スリット３８の右側（図３の左側）に配置される側壁部３４の下端付近には、図３及び図４のように起立レバー収容室４０から起立台収容スリット３８まで貫通する保持孔５０が形成され、その保持孔５０に回転軸８２が回転自在に軸支される。
【００６７】
なお、本実施の形態では、回転軸８２は、図４のように起立台起立レバー８４と一体形成されて長板状に延びる起立台起立レバー８４の基端から延設され、一端を起立台起立機構である起立台起立レバー８４に固定される固定端とし、他端を自由端とした片持ち梁状に構成される。この回転軸８２と回転軸８２の軸線に略垂直な方向に延びる起立台起立レバー８４とを有する部材を駆動部材８０というものとするが、回転軸８２と起立台起立レバー８４とは別体であってもよい。
【００６８】
また、図３のように回転軸８２と保持孔５０との間にはシール部材５２が配置され、起立台収容スリット３８と起立レバー収容室４０とは相互に気体又は液体の浸入が防止されている。
【００６９】
この回転軸８２の起立台収容スリット３８に突出する端部（第１軸部９０）は、後述のように処置具起立台６０と連結する。
【００７０】
側壁部３４の右側（図３の左側）には、図４のように保持孔５０を中心とした扇形状の空間部が起立レバー収容室４０として形成される。この起立レバー収容室４０には、駆動部材８０の回転軸８２の保持孔５０への挿入と共に、駆動部材８０の起立台起立レバー８４が収容される。
【００７１】
図５は、先端部本体３０に処置具起立台６０及び駆動部材８０を組み付けた状態を示した斜視図である。なお、起立レバー収容室４０を被覆する保護板は省略している。
【００７２】
図５に示すように、起立台起立レバー８４の先端には、連結具８５を介して操作ワイヤ８６の先端部が連結される。操作ワイヤ８６は、起立レバー収容室４０の壁面に開口したワイヤ挿通孔４４から挿入部２内を挿通して操作部３の起立操作レバー１２に連結される。
【００７３】
これにより、起立操作レバー１２の操作により操作ワイヤ８６が押し引きされて起立台起立レバー８４が回転軸８２と共に回転する。そして、その回転軸８２の回転によって処置具起立台６０が回転し、処置具起立台６０が起伏動作する。なお、回転軸８２を回転させる起立台起立機構は起立台起立レバー８４を操作ワイヤ８６により押し引きする本実施の形態のものに限らない。
【００７４】
また、図４に示すように、駆動部材８０の回転軸８２は、起立レバー収容室４０側から保持孔５０内に挿入され、処置具起立台６０の連結孔６６に相対回転不能に連結する。これにより、回転軸８２の一端に処置具起立台６０が連結されると共に他端に起立台起立レバー８４が連結され、この回転軸８２を介して処置具起立台６０と起立台起立レバー８４とが相対回転不能に連結する。
【００７５】
したがって、先端部７を洗浄する際には、処置具起立台６０に直接力を加ることによって、起立台起立レバー８４及び回転軸８２の回転を伴うことなく処置具起立台６０のみを回転軸８２の軸線周りに回転させることができる状態となる。
【００７６】
内視鏡１の先端部７の洗浄を行う際にはこの状態に設定することで処置具起立台６０の大半の部分を起立台収容スリット３８から待避させて起立台収容スリット３８の内部及び処置具起立台６０を洗浄することができ、先端部７の洗浄を容易かつ迅速に行うことができるようになる。
【００７７】
上記の如く構成された内視鏡１の先端部７は、先端部自体のサイズ（例えば太さが５〜１０ｍｍ程度）が元々小さく処置具起立台６０も小さいのに加えて構造が複雑である。しかも処置具起立台６０は起立台収容スリット３８に収納されて露出部分が少なく洗浄し難いために未洗浄箇所が発生し易い。
【００７８】
[内視鏡用の洗浄ブラシ]
次に、本発明の内視鏡用の洗浄ブラシについて説明する。
【００７９】
（洗浄ブラシの第１の実施の形態）
第１の実施の形態の洗浄ブラシ１００は、処置具起立台６０を備えた内視鏡１の先端部７を洗浄に適しているが、特には、先端部７の上面側に、起立台収容スリット３８の上面側の開口部３８ａ（処置具導出口３８ａ）のみが開口されているタイプの内視鏡１の先端部７を洗浄するのに適するように構成したものである。
【００８０】
図７は、第１の実施の形態の洗浄ブラシ１００であり、図７は洗浄ブラシ１００を一方側の側面斜め方向から見た斜視図であり、図８は側面図である。
【００８１】
図７及び図８に示すように、第１の実施の形態の洗浄ブラシ１００は、主として、第１のブラシ１０２と第２のブラシ１０４と保持部材１０６とで構成される。
【００８２】
以下の説明において、内視鏡１の先端部７の上面側に接触するブラシを第１のブラシ１０２とし、下面側に接触するブラシを第２のブラシ１０４とする。また、図７及び図８において、矢印Ｚは内視鏡１の先端部７の上面側を示し、矢印Ｘは洗浄ブラシで内視鏡１の先端部７を洗浄する際の挿抜方向を示す。
【００８３】
第１のブラシ１０２は、挿抜方向Ｘに長尺な板状の植毛基板１０８とブラシ毛群１１０とで構成される。また、ブラシ毛群１１０は、植毛基板１０８の第２のブラシ１０４側の面に、長手軸に沿った縦断面が三角形状の凸状毛束Ａ１と平面形状の凹状毛束Ａ２とが挿抜方向Ｘに沿って交互に植毛されることにより形成される。縦断面が三角形状の毛束Ａ１はブラシの毛足の長さを変えることにより形成できる。これにより、第１のブラシ１０２のブラシ毛群１１０の刷掃面１１０Ａが挿抜方向Ｘに沿って凹凸形状に形成される。
【００８４】
また、第２のブラシ１０４は、挿抜方向Ｘに長尺な板状の植毛基板１１２とブラシ毛群１１４とで構成される。また、ブラシ毛群１１４は、植毛基板１１２の第１のブラシ１０２側の面に、長手軸に沿った縦断面が三角形状の凸状毛束Ｂ１と平面形状の凹状毛束Ｂ２とが挿抜方向Ｘに沿って交互に植毛されることにより形成される。縦断面が三角形状の毛束Ｂ１はブラシの毛足の長さを変えることにより形成できる。これにより、第２のブラシ１０４のブラシ毛群１１４の刷掃面１１４Ａが挿抜方向Ｘに沿って凹凸形状に形成される。
【００８５】
また、第１のブラシ１０２の凹凸形状と第２のブラシ１０４の凹凸形状とは、図形を鏡に映したときに元の図形と映った画像との対称関係な鏡像対称な関係に構成される。
【００８６】
保持部材１０６は、第１のブラシ１０２と第２のブラシ１０４とを対向する位置で離間して保持する部材であり、第１のブラシ１０２の植毛基板１０８と第２のブラシ１０４の植毛基板１１２とを連結保持する。これにより、内視鏡１の先端部７を第１のブラシ１０２のブラシ毛群１１０と第２のブラシ１０４のブラシ毛群１１４とに接触させながら挿抜可能な挿抜空間１１６が形成される。
【００８７】
図７に示すように、第１の実施の形態の洗浄ブラシ１００では、第１のブラシ１０２のブラシ毛群１１０及び第２のブラシ１０４のブラシ毛群１１４は、挿抜方向Ｘに直交する幅Ｗ１が起立台収容スリット３８の幅Ｗ２（図６参照）よりも大きく形成されている。
【００８８】
また、図８に示すように、第１のブラシ１０２の植毛基板１０８の下面と第２のブラシ１０４の植毛基板１１２の上面との間の離間距離Ｌ１は、内視鏡１の先端部７の直径Ｄと、ブラシ毛群１１０、１１４を形成する毛束Ａ、Ｂの最も長い毛足の長さＬ２とで設定される。即ち、直径Ｄの先端部７を洗浄ブラシ１００の挿抜空間１１６に挿抜させた際に、第１のブラシ１０２及び第２のブラシ１０４のブラシ毛群１１０、１１４が処置具起立台６０を収容する起立台収容スリット３８の内部に十分入り込めるように離間距離Ｌ１及び毛足の長さＬ２を設定する。
【００８９】
なお、図７（Ｂ）では、第１のブラシ１０２の凸状毛束Ａ１と第２のブラシ１０４の凸状毛束Ｂ１とが接触した状態での離間距離Ｌ１を示しているが、接触に近い状態であれば接触していることに限定しない。
【００９０】
例えば、第１のブラシ１０２と第２のブラシ１０４との離間距離Ｌ１は、先端部７の直径Ｄの１．２倍から１．５倍とし、ブラシ毛群１１０、１１４の毛束Ａ、Ｂの最も長い毛足の長さＬ２の合計が先端部７の直径Ｄの１．０倍から１．２倍程度となるようにすることが好ましい。
【００９１】
第１のブラシ１０２及び第２のブラシ１０４の植毛基板１０８、１１２はプラスチック材等の公知の材料を使用することができる。また、ブラシ毛群１１０、１１４の毛材も洗浄ブラシに使用されるナイロン等の人工材料で作られた毛材、あるいは天然材料で作られた毛材等の公知の材料を使用することができる。
【００９２】
保持部材１０６は、プラスチック材、木材、金属材等を使用できるが、弾性を有する材料及び形状にすることが好ましい。例えば、Ｕ字形状をした板バネ等で形成されることが好ましい。保持部材１０６をＵ字形状の弾性部材で形成することにより、洗浄作業者が洗浄ブラシ１００を手で持って、第１のブラシ１０２と第２のブラシ１０４とを挟み込む力を調整することで、第１のブラシ１０２と第２のブラシ１０４との離間距離Ｌ１を近づけることができる。この場合、第１のブラシ１０２と第２のブラシ１０４とは、平行を維持した状態で接近させることが好ましい。
【００９３】
これにより、直径Ｄが異なる（例えば５ｍｍ〜１０ｍｍ）の内視鏡１の先端部７を洗浄する場合でも、第１のブラシ１０２と第２のブラシ１０４との離間距離Ｌ１の微調整を行うことができる。したがって、図示しないが、保持部材１０６に、第１のブラシ１０２と第２のブラシ１０４との離間距離Ｌ１を微調整する微調整手段を設けることも好ましい。離間距離調整手段としては、例えば保持部材１０６を入れ子構造にしてネジで固定する等の方法がある。
【００９４】
図９及び図１０は、第１の実施の形態の洗浄ブラシ１００の変形例であり、第１のブラシ１０２のブラシ毛群１１０の凹凸形状と、第２のブラシ１０４のブラシ毛群１１４の凹凸形状とは、対向する２つの図形の関係が平行移動したときに一致する関係にある並進対称に構成される。
【００９５】
また、第１のブラシ１０２及び第２のブラシ１０４のブラシ毛群１１０、１１４の刷掃面１１０Ａ、１１４Ａの凹凸形状は、上述した縦断面が三角形状の凸状毛束Ａ１、Ｂ１と平面形状の凹状毛束Ａ２、Ｂ２とが交互に配列されたものに限定するものではない。更に、第１のブラシ１０２との第２のブラシ１０４との両方に凹凸形状を有することに限定されず、先端部７の下面側に接触する第２のブラシ１０４の刷掃面１１４Ａが挿抜方向Ｘに凹凸形状に形成されていればよい。
【００９６】
図１１及び図１２の洗浄ブラシ１００は、第１のブラシ１０２と第２のブラシ１０４に、縦断面形状が直角三角形な凸状毛束Ａ、Ｂを挿抜方向Ｘに連続して配列し、且つ第１のブラシ１０２と第２のブラシ１０４の刷掃面１１０Ａ、１１４Ａの挿抜方向が鏡像対称な凹凸形状を形成するように構成したものである。
【００９７】
図１３及び図１４の洗浄ブラシ１００は、図１１及び図１２の洗浄ブラシ１００を並進対称に形成したものである。
【００９８】
図１５の洗浄ブラシ１００は、第１のブラシ１０２の刷掃面１１０Ａの凹凸形状を、縦断面形状が直角三角形な凸状毛束Ａを挿抜方向Ｘに連続配列して形成し、第２のブラシ１０４のブラシ毛群１１４の凹凸形状を、縦断面が三角形状の凸状毛束Ｂ１と平面形状の凹状毛束Ｂ２とを交互に配列して形成したものである。
【００９９】
図１６の洗浄ブラシ１００は、第１のブラシ１０２の刷掃面１１０Ａの凹凸形状を、縦断面形状が直角三角形な凸状毛束Ａを挿抜方向Ｘに連続配列して形成し、第２のブラシ１０４のブラシ毛群１１４の凹凸形状を、縦断面が直角三角形状の凸状毛束Ｂ１と平面形状の凹状毛束Ｂ２とを交互に配列して形成したものである。
【０１００】
図１７の洗浄ブラシ１００は、第１のブラシ１０２の刷掃面１１０Ａの凹凸形状を、縦断面形状が直角三角形な凸状毛束Ａを挿抜方向Ｘに連続配列して形成し、第２のブラシ１０４のブラシ毛群１１４の凹凸形状を、縦断面が半円形状の凸状毛束Ｂ１と平面形状の凹状毛束Ｂ２とを交互に配列して形成したものである。
【０１０１】
図１８の洗浄ブラシ１００は、第１のブラシ１０２の刷掃面１１０Ａを、凹凸形状ではなく挿抜方向Ｘに平面形状な毛束Ａで形成し、第２のブラシ１０４のブラシ毛群１１４の凹凸形状を、縦断面が三角形状の凸状毛束Ｂ１と平面形状の凹状毛束Ｂ２とを交互に配列して形成したものである。
【０１０２】
次に、第１の実施の形態の洗浄ブラシ１００を使用して内視鏡１の先端部７を洗浄する方法を説明する。
【０１０３】
図１９は、洗浄槽１１８に貯留された洗浄液１２０中で先端部７を洗浄している図である。なお、洗浄に使用した洗浄ブラシ１００として、図１５で示した凹凸形状のものを使用した。また、洗浄する先端部７は、キャップ２６がなく、先端部７の上面側に起立台収容スリット３８の開口部３８ａのみが開口されているものとする。
【０１０４】
また、図１９には特に図示しないが、洗浄を行う一人の洗浄作業者が一方の手に洗浄ブラシ１００を把持し、他方の手に先端部７を把持して洗浄する。
【０１０５】
図２０〜図２４は、洗浄ブラシ１００の挿抜空間１１６に挿入される先端部７の上下方向の動きを示すステップ図である。
【０１０６】
図２０は、先端部７を、洗浄ブラシ１００の挿抜空間１１６の入口から第２のブラシ１０４の平面形状な最初の凹状毛束Ｂ２の位置まで挿入した図である。
【０１０７】
更に先端部７を挿抜空間１１６に挿入すると、図２１及び図２２に示すように、先端部７は第２のブラシ１０４の縦断面形状が三角形状な凸状毛束Ｂ１に当接するので、乗り越えるために第１のブラシ１０２側（図の矢印に示す上側）に移動しながら挿抜空間１１６を進む。これにより、第１のブラシ１０２のブラシ毛群１１０を構成する凸状毛束Ａが起立台収容スリット３８の上面側の開口部３８ａから内部に入り込む。
【０１０８】
更に先端部７を挿抜空間１１６に挿入すると、図２３に示すように、先端部７は第２のブラシ１０４の平面形状な最初の凹状毛束Ｂ２の位置に進む。これにより、先端部７は第１のブラシ１０２側から第２のブラシ１０４側（図の矢印示す下側）に移動しながら挿抜空間１１６を進む。したがって、第１のブラシ１０２のブラシ毛群１１０を構成する凸状毛束Ａが起立台収容スリット３８の内部から上面側の開口部３８ａに移動する。
【０１０９】
更に先端部７を挿抜空間１１６に挿入すると、図２４に示すように、先端部７は第２のブラシ１０４の縦断面形状が三角形状な凸状毛束Ｂ１に当接するので、先端部７は再び第１のブラシ１０２側（図の矢印に示す上向き方向）に移動しながら挿抜空間１１６を進む。これにより、第１のブラシ１０２のブラシ毛群１１０を構成する凸状毛束Ａが再び起立台収容スリット３８の上面側の開口部３８ａから内部に入り込む。
【０１１０】
同様に、洗浄ブラシ１００の挿抜空間１１６に挿入した先端部７を挿抜空間１１６から引き抜くときにも先端部７は第１のブラシ１０２側（上側）に移動したり、第２のブラシ１０４側（下側）に移動したりする。
【０１１１】
このように、挿抜空間１１６に先端部７を挿抜させたときに、先端部７の下面側が接触するブラシ毛群１１４の刷掃面１１４Ａの凹凸形状に合わせて先端部７に挿抜方向Ｘとは直交する上下方向の動きが生じる。即ち、第２のブラシ１０４は、挿抜空間１１６内で先端部７をブラッシング洗浄する役目の他に、挿抜空間１１６内で先端部７を上下動させる上下動ガイド部材としての役目を行う。
【０１１２】
これにより、洗浄ブラシ１００の挿抜空間１１６への先端部７の挿入位置によって、第１のブラシ１０２に対する先端部７の上下位置（第１のブラシ１０２に対する距離）が変化する。
【０１１３】
したがって、第１のブラシ１０２は、起立台収容スリット３８の上面側の開口部３８ａから内部に進入したブラシ毛群１１０の進入深さが変わると共にブラシ毛群１１０が当たる強さを変えながら挿抜方向Ｘに直交する上下方向のブラッシング洗浄を行うことができる。
【０１１４】
このように、第１の実施の形態の洗浄ブラシ１００は、挿抜空間１１６に先端部７を挿抜させることで、先端部７に対して挿抜方向Ｘのブラッシング洗浄と上下方向のブラッシング洗浄を同時に行うことができる。これにより、先端部本体３０のみならず処置具起立台６０や処置具起立台６０周りを隅々まで確実に洗浄することができる。
【０１１５】
したがって、洗浄ブラシ１００の挿抜空間１１６に先端部７を挿抜したときに、第２のブラシ１０４のブラシ毛群１１４の刷掃面１１４Ａの凹凸形状が維持され易いように、第１のブラシ１０２のブラシ毛群１１０の剛性よりも第２のブラシ１０４のブラシ毛群１１４の剛性が大きいことが好ましい。
【０１１６】
（洗浄ブラシの第２の実施の形態）
第２の実施の形態の洗浄ブラシ１００は、第１の実施の形態と同様に処置具起立台６０を備えた内視鏡１の先端部７を洗浄するものであるが、特に、図４に示したように、先端部７にキャップ２６を有し、キャップ２６を外したときに、起立台収容スリット３８の上面側の開口部３８ａ、前面側の開口部３８ｂ及び下面側の開口部３８ｃが開口されているタイプの内視鏡１の先端部７の洗浄に適するように構成したものである。
【０１１７】
図２５は第２の実施の形態の洗浄ブラシ１００を一方側の側面斜めから見た斜視図であり、図２６は側面図である。また、図２７は、第２の実施の形態の洗浄ブラシ１００を上から見た上面図であり、第２のブラシ１０４のブラシ毛群１１４の幅Ｗ３を示した模式図である。
【０１１８】
図２５〜図２７に示すように、第２の実施の形態の洗浄ブラシ１００は、主として、第１のブラシ１０２と第２のブラシ１０４と保持部材１０６とで構成される点では第１の実施の形態と同様である。
【０１１９】
しかし、図２７に示すように、第２の実施の形態の洗浄ブラシ１００では、第２のブラシ１０４は、ブラシ毛群１１４の挿抜方向Ｘに直交する幅Ｗ３が起立台収容スリット３８の幅Ｗ２（図６参照）よりも小さく（ゼロは含まない）形成されている。幅Ｗ３の下限としては幅Ｗ２の１／２〜２／３程度とすることが好ましい。
【０１２０】
なお、図２７では、第１のブラシ１０２のブラシ毛群１１０の挿抜方向Ｘに直交する幅Ｗ４は、起立台収容スリット３８の幅Ｗ２（図６参照）よりも大きくした場合で図示しているが、第２のブラシ１０４のブラシ毛群１１４の幅Ｗ３と同じでもよい。
【０１２１】
また、図２７では、第２のブラシ１０４のブラシ毛群１１４を、植毛基板１１２の幅方向中央位置よりも保持部材１０６の側に寄った端部位置に配置させたが、これに限定されず、中央位置に配置する場合、保持部材１０６の反対側の端部位置に配置する場合の何れでもよい。
【０１２２】
更に、第１のブラシ１０２及び第２のブラシ１０４のブラシ毛群１１０、１１４を構成する毛束Ａ、Ｂの形状は、図２５及び図２６に記載した形状に限定するものではなく、図７から図１８で示したように色々な形状を採用することができる。
【０１２３】
このように、洗浄ブラシ１００の挿抜空間１１６を形成する第２のブラシ１０４のブラシ毛群１１４の幅Ｗ３を起立台収容スリット３８の幅Ｗ２よりも小さくしたので、ブラシ毛群１１４の幅方向全体を起立台収容スリット３８の前面側と下面側とに開口された開口部３８ｂ、３８ｃを介して起立台収容スリット３８の内部に入り込ませることができる。そして、第２のブラシ１０４のブラシ毛群１１４の刷掃面１１４Ａは挿抜方向Ｘに凹凸形状をしている。
【０１２４】
これにより、先端部７を洗浄ブラシ１００の挿抜空間１１６に挿抜させた際に、第２のブラシ１０４のブラシ毛群１１４が処置具起立台６０を起伏動作させるので、従来のように、洗浄の際に操作ワイヤ８６を操作したり手の指で起伏動作させたりしなくても、処置具起立台６０を起伏動作させることができる。
【０１２５】
図２８から図３１は、第２の実施の形態の洗浄ブラシ１００の挿抜空間１１６に、キャップ２６を外した状態で内視鏡１の先端部７を挿入したときに処置具起立台６０が起伏動作する過程を示した図である。この場合、処置具起立台６０から操作ワイヤ８６を外した状態で行う。
【０１２６】
図２８及び図２９は、洗浄ブラシ１００の挿抜空間１１６に先端部７を挿入した図である。また、図３０及び図３１は、図２８及び図２９において、処置具起立台６０と第２のブラシ１０４のブラシ毛群１１４との関係を示す模式図である。図３０及び図３１には、起立台収容スリット３８を構成する側壁部３４、３６のうち側壁部３４及び、洗浄ブラシ１００の第１のブラシ１０２は図示していない。
【０１２７】
図２８に示すように、起立台収容スリット３８の上面側の開口部３８ａ、前面側の開口部３８ｂ及び下面側の開口部３８ｃが開口された先端部７を、挿抜空間１１６の入口から第２のブラシ１０４の平面形状な凹状毛束Ｂ２の位置まで挿入させる。これにより、図３０に示すように、第２のブラシ１０４の平面形状な凹状毛束Ｂ２が起立台収容スリット３８の内部に進入し、処置具起立台６０の裏面下側に入り込む。
【０１２８】
図２９に示すように、先端部７を、挿抜空間１１６の入口から第２のブラシ１０４の三角形状な凸状毛束Ｂ１の位置まで挿入させる。これにより、図３１に示すように、第２のブラシ１０４の三角形状な凸状毛束Ｂ１が処置具起立台６０の裏面下側に入りこむので、処置具起立台６０を押し上げる力が作用する。したがって、処置具起立台６０は回転軸８２を中心に矢印方向に回転して起立していく。そして、先端部７が第２のブラシ１０４の三角形状な凸状毛束Ｂ１を乗り越えると、処置具起立台６０を押し上げる力が作用しなくなり、処置具起立台６０は重力により倒伏する。
【０１２９】
即ち、洗浄ブラシ１００の挿抜空間１１６への先端部７の挿入において、先端部７が第２のブラシ１０４の三角形状な凸状毛束Ｂ１を乗り越える際に処置具起立台６０が起伏動作を行う。
【０１３０】
同様に、洗浄ブラシ１００の挿抜空間１１６に挿入した先端部７を挿抜空間１１６から引き抜くときにも、処置具起立台６０は起伏動作する。
【０１３１】
このように、洗浄ブラシ１００の挿抜空間１１６に先端部７を挿入させる挿入位置によって、第２のブラシ１０４で処置具起立台６０を押し上げる高さが変わり、起立位置を変えることができる。即ち、第２のブラシ１０４は、洗浄の役目の他に、処置具起立台６０を起伏動作させるための起伏動作ガイド部材としての役目を行う。
【０１３２】
これにより、第２のブラシ１０４のブラシ毛群１１４は、起上状態の処置具起立台６０の裏面側に深く入り込んで、処置具起立台６０の裏面と起立台収容スリット３８の隙間とをブラッシングすることができる。
【０１３３】
一方、第１のブラシ１０２は、起立動作する処置具起立台６０の表面（処置具に接触して起立動作を案内する面）に接触してブラッシングするとともに、処置具起立台６０と起立台収容スリット３８の隙間に入り込んでブラッシングする。
【０１３４】
上記した第２のブラシ１０４による処置具起立台６０の起伏動作において、図３０及び図３１に示すように、第２のブラシ１０４のブラシ毛群１１４の凸凹形状の刷掃面１１４Ａを構成する縦断面が三角形状の凸状毛束Ｂ１は、処置具起立台６０が倒伏位置から最大起立位置まで起立可能に底辺長さＭ及び高さＮが形成されていることが好ましい。
【０１３５】
例えば、図３０及び図３１に示すように、縦断面が三角形状の凸状毛束Ｂ１において、底辺の長さのＭ／２と、高さＮとの比で表すことができるｔａｎθ１の角度θ１が、処置具起立台６０の図３０に示す倒伏位置から図３１に示す最大起立位置までの回動角θ２と一致するように、底辺長さＭ及び高さＮを設定することができる。
【０１３６】
これにより、処置具起立台６０は大きなストロークで起伏動作を行い洗浄しにくい処置具起立台６０の裏面側が大きく開放されるので、一層洗浄効し易くなる。
【０１３７】
（洗浄ブラシの第３の実施の形態）
図３２は第３の実施の形態の洗浄ブラシ１００を一方側面から見た斜視図であり、図３３は反対側の側面から見た斜視図である。反対側の側面から見た斜視図である。
【０１３８】
第３の実施の形態の洗浄ブラシ１００は、第１の実施の形態及び第２の実施の形態と同様に、第１のブラシ１０２と第２のブラシ１０４と保持部材１０６とで構成される点では同じである。
【０１３９】
しかし、第３の実施の形態の洗浄ブラシ１００では、第２のブラシ１０４のブラシ毛群１１４を構成する毛束Ｂにおいて、第１の実施の形態のように挿抜方向Ｘに直交する幅Ｗ１が起立台収容スリット３８の幅Ｗ２よりも大きい幅広領域を形成する広幅毛束Ｂ１と、第２の実施の形態のように挿抜方向Ｘに直交する幅Ｗ３が起立台収容スリット３８の幅Ｗ２よりも小さい幅狭領域を形成する狭幅毛束Ｂ２との両方が混在するように構成した。
【０１４０】
なお、第１のブラシ１０２のブラシ毛群１１０を構成する毛束Ａについては、幅広毛束Ａ１のみの場合、又は幅広毛束Ａ１と幅狭毛束Ａ２の両方が混在した場合の何れでもよい。
【０１４１】
図３４は第３の実施の形態の変形例である洗浄ブラシ１００を一方側面から見た斜視図であり、図３５は反対側の側面から見た斜視図である。反対側の側面から見た斜視図である。
【０１４２】
第３の実施の形態の変形例である洗浄ブラシ１００は、第１のブラシ１０２及び第２のブラシ１０４のブラシ毛群１１０、１１４を構成する毛束Ａ、Ｂに、挿抜方向Ｘに広幅毛束Ａ１、Ｂ１と狭幅毛束Ａ２、Ｂ２とを交互に配置した場合である。
【０１４３】
上記の如く構成された第３の実施の形態の洗浄ブラシ１００によれば、挿抜空間１１６に内視鏡１の先端部７を挿抜させて洗浄する際に、先端部７自体が上下方向に移動する上下動作と処置具起立台６０の起伏動作との両方を行うことができる。
【０１４４】
これにより、先端部本体３０のみならず処置具起立台６０や処置具起立台６０周りを隅々まで確実に洗浄することができる。
【０１４５】
（洗浄ブラシの応用例）
図３６及び図３７の洗浄ブラシ２００は、上記した本発明の洗浄ブラシ１００の応用例であり、図３６は洗浄ブラシ２００の斜視図、図３７は図３６の洗浄ブラシ２００をａ−ａ線に沿って切断した断面図である。
【０１４６】
即ち、図３６に示す洗浄ブラシは、ブラシ毛群２０２が螺旋形状に形成され、螺旋形状を形成する際に、螺旋径（内径）の直径が大きな大径輪２０２Ａと螺旋径（内径）の直径が小さな小径輪２０２Ｂとが交互に配列されるようにしたものである。
【０１４７】
これにより、図３７に示すように、洗浄ブラシ２００のブラシ毛群２０２の刷掃面２０４の挿抜方向Ｘの断面形状が凹凸形状の挿抜空間２０６が形成される。
【０１４８】
図３６の洗浄ブラシ２００の場合にも、本発明の洗浄ブラシ１００の場合と同様に、先端部本体３０のみならず処置具起立台６０や処置具起立台６０周りを隅々まで確実に洗浄することができる。
【符号の説明】
【０１４９】
１…内視鏡
２…挿入部
３…操作部
４…ユニバーサルコード
５…軟性部
６…湾曲部
７…先端部
８、９…アングルノブ
１１…吸引ボタン
１２…起立操作レバー
１３…処置具導入口
１４…処置具挿通チャンネル
１４ａ…開口部
２０…平坦面
２２…観察窓
２４…照明窓
２６…キャップ
２６Ａ…開口窓
２６Ｂ…隔壁部
３０…先端部本体
３２…基端部
３４、３６…側壁部
３８…起立台収容スリット
３８ａ…上面側の開口部（処置具導出口）
３８ｂ…前面側の開口部
３８ｃ…下面側の開口部
４０…起立レバー収容室
４２…光学系収容室
４４…ワイヤ挿通孔
４６…基端壁部
５０…保持孔
６０…処置具起立台
６１…案内面
６２…起立台本体
６４…連結部
６６…連結孔
８０…駆動部材
８２…回転軸
８４…起立台起立レバー
８５…連結具
８６…操作ワイヤ
９０…第１軸部
１００…洗浄ブラシ
１０２…第１のブラシ
１０４…第２のブラシ
１０６…保持部材
１０８、１１２…植毛基板
１１０、１１４…ブラシ毛群
１１０Ａ、１１４Ａ…刷掃面
１１６…挿抜空間
２００…洗浄ブラシ
２０２…ブラシ毛群
２０２Ａ…大径輪
２０２Ｂ…小径輪
２０４…刷掃面
２０６…挿抜空間
Ａ１、Ｂ１…凸状毛束
Ａ２、Ｂ２…凹状毛束
Ｘ…挿抜方向
Ｚ…先端部の上面側
【図１】
2018157885.tif 000003
【図２】
2018157885.tif 000004
【図３】
2018157885.tif 000005
【図４】
2018157885.tif 000006
【図５】
2018157885.tif 000007
【図６】
2018157885.tif 000008
【図７】
2018157885.tif 000009
【図８】
2018157885.tif 000010
【図９】
2018157885.tif 000011
【図１０】
2018157885.tif 000012
【図１１】
2018157885.tif 000013
【図１２】
2018157885.tif 000014
【図１３】
2018157885.tif 000015
【図１４】
2018157885.tif 000016
【図１５】
2018157885.tif 000017
【図１６】
2018157885.tif 000018
【図１７】
2018157885.tif 000019
【図１８】
2018157885.tif 000020
【図１９】
2018157885.tif 000021
【図２０】
2018157885.tif 000022
【図２１】
2018157885.tif 000023
【図２２】
2018157885.tif 000024
【図２３】
2018157885.tif 000025
【図２４】
2018157885.tif 000026
【図２５】
2018157885.tif 000027
【図２６】
2018157885.tif 000028
【図２７】
2018157885.tif 000029
【図２８】
2018157885.tif 000030
【図２９】
2018157885.tif 000031
【図３０】
2018157885.tif 000032
【図３１】
2018157885.tif 000033
【図３２】
2018157885.tif 000034
【図３３】
2018157885.tif 000035
【図３４】
2018157885.tif 000036
【図３５】
2018157885.tif 000037
【図３６】
2018157885.tif 000038
【図３７】
2018157885.tif 000039